(57)【要約】【課題】繰り返し作動に関係なく取り付けが容易で、防水に完全を期すと共に排水にも配慮した、より優れた温室の開閉窓のシール部分などに用いる、防水用シール具およびその防水用シール具を用いた防水装置を提供する。【解決手段】コ字状又はU字状の開口部ａ０と、この開口部をなす両辺ａ１、ａ３のいずれか一方を開口部とは逆方向に延長して形成した延長辺ａ４とからなる。【選択図】        図１
2005061089.tif 000002
【特許請求の範囲】
【請求項１】
コ字状又はU字状の開口部と、この開口部をなす両辺のいずれか一方を開口部とは逆方向に延長して形成した延長辺とからなる防水用シール具
【請求項２】
開口部をなす両辺の一方又は両方の先端部に長手沿って断面円形、半円形又は楕円形の突起を形成している請求項１に記載の防水用シール具
【請求項３】
開口部をなす両辺の一方又は両方がストレート又は外側に湾曲して形成されている請求項１又は２に記載の防水用シール具
【請求項４】
扉と扉、又は開閉窓と窓枠との間の隙間を塞ぐ部分に防水用シール具を設けた防水装置において、上記防水用シール具がコ字状又はU字状の開口部と、この開口部をなす両辺のいずれか一方を開口部とは逆方向に延長して形成した延長辺とで構成し、開口部に扉の枠体又は開閉窓の枠体を嵌め合わせたことを特徴とする防水装置
【請求項５】
温室又は建物の敷居部分に庇を設けている防水装置において、上記庇をコ字状又はU字状の開口部と、この開口部をなす両辺のいずれか一方を開口部とは逆方向に延長して形成した延長辺とからなる防水用シール具で構成し、当該防水用シール具の開口部に敷居を嵌め合わせたことを特徴とする防水装置
【発明の詳細な説明】
【技術分野】
【０００１】
本発明は、温室の開閉窓のシール部分などに用いる防水用シール具およびその防水用シール具を用いた防水装置に関する。
【背景技術】
【０００２】
ビニールハウスなどの温室では、その屋根面、妻面または側面に設けた開閉窓のシール部分の防水が不完全になりやすい。その対策として、従来特許文献１に示すように、蟻溝状の支柱に着脱自在に引っ掛ける二つのフック部と、このフック部に一体に設けたシール片とからなるシール材をゴムなどの弾性部材で構成し、開閉窓のシール部分に取り付けるようにしたドア用シール材が提案されている。
【特許文献１】意匠登録第１０６３３４３号公報(右側面図、参考図)
【発明の開示】
【発明が解決しようとする課題】
【０００３】
このような従来のドア用シール材は、ドアの開閉のための回転作動部分にとりつけるものであるから弾性材料で形成され、繰り返し折り曲げされることによって所定回数だけ使用されると破損してしまう恐れがある。またこのシール材は、ビニールハウスの蟻溝状の支柱に着脱自在に引っ掛けるものであるから引っ掛け部分が側方にあり、温室などの開閉窓のシール部分に使用するには取り付け難く、その上防水および排水に対する配慮が不十分であり、また不便であるという課題がある。
【０００４】
本発明は、繰り返し作動に関係なく取り付けが容易で、防水に完全を期すと共に排水にも配慮した、より優れた温室の開閉窓のシール部分などに用いる、防水用シール具およびその防水用シール具を用いた防水装置を提供することを目的とする。
【課題を解決するための手段】
【０００５】
上記課題を解決するため、本発明のシール具の手段はコ字状又はU字状の開口部と、この開口部をなす両辺のいずれか一方を開口部とは逆方向に延長して形成した延長辺とからなるもである。
【０００６】
この場合、開口部をなす両辺の一方又は両方の先端部に長手沿って断面円形、半円形又は楕円形の突起を形成しているのが好ましい。
【０００７】
同じく、開口部をなす両辺の一方又は両方がストレート又は外側に湾曲して形成されていても良い
更に、本発明の防水装置は、扉と扉、又は開閉窓と窓枠との間の隙間を塞ぐ部分に防水用シール具を設けた防水装置において、上記防水用シール具がコ字状又はU字状の開口部と、この開口部をなす両辺のいずれか一方を開口部とは逆方向に延長して形成した延長辺とで構成し、開口部に扉の枠体又は開閉窓の枠体を嵌め合わせたことを特徴とする。
【０００８】
同じく,他の防水装置は温室又は建物の敷居部分に庇を設けている防水装置において、上記庇をコ字状又はU字状の開口部と、この開口部をなす両辺のいずれか一方を開口部とは逆方向に延長して形成した延長辺とからなる防水用シール具で構成し、当該防水用シール具の開口部に敷居を嵌め合わせたことを特徴とする。
【発明の効果】
【０００９】
この発明の防水用シール具及びこれを利用した防水装置にあっては、次の効果がある。
【００１０】
１）  コ字状の開口部をなす両辺のいずれか一辺を開口部とは逆の方向に延長して延長辺を形成しているので、この延長辺が雨水、害虫、冷気等の進入を防止するシール片として利用できる。
【００１１】
２）  又開口部は他の扉、開口窓、敷居等に挿し込む取付部として利用でき、その際、扉,開口窓または敷居に対して取り付け作業が簡単である。
【００１２】
３）  更に延長片と同一方向に開口部を設けているので、延長片が他の扉や窓枠に対して直角に当接せず、従って無理な荷重やフリクションが作用せず、その破損が防止でき耐久性を向上させることが出来る。
【発明を実施するための最良の形態】
【００１３】
以下、本発明の一実施の形態について、図面を参照して詳細に説明する。
【００１４】
本発明に係る防水用シール具Ａは図２に示すように、コ字状又はU字状の開口部a０と、この開口部a０をなす両辺のいずれか一方を開口部a０とは逆方向に延長して形成した延長辺a４とからなるもである。
【００１５】
この場合、開口部a０をなす両辺の一方又は両方の先端部に長手沿って断面円形の突起a５を形成しているが、半円形又は楕円形の突起を形成していても良い。
【００１６】
開口部a０をなす両辺の一方又は両方がストレートに形成されているが、図４に示すように湾曲して形成されていても良い。
【００１７】
図1において、温室の頂部たる棟部に設けた棟木Ｔには、ハウスの骨組を構成する複数のパイプＰが張り巡らされており、その上にビニールなどで構成されたシートＳが全面に張られている。そして、その一部には窓枠Ｗで区画された開口部１０を開閉する換気用の開閉窓１が設けられている。即ちこの開閉窓１は図示しないヒンジ、リンク等の公知の方法でその基端がパイプＰに固定された窓枠Ｍに取り付けられている。開閉窓１は矩形の枠体たる上側の窓木１ａ、両側の窓木１ｂ、１ｂおよび下側の窓木１ｃによって構成されている。
【００１８】
両側の窓木１ｂおよび下側の窓木１ｃには、防水用シール具Ａが取り付けられ、窓枠Ｍと開閉窓１との間の隙間におけるシール部を塞いで防水性が確保されている。また、下側の窓木１ｃの下に対応する窓枠Ｍには、その両端に結露水を受けるソケットＵが設置されている。ソケットＵにはホースＨが接続され、排水溝に回収した水を排水するようになっている。
【００１９】
図２は防水用シール具Ａの形状を、拡大して説明したものである。防水用シール具Ａは開口部ａ０、コ字状部の一辺ａ１、底部ａ２、他辺ａ３、およびコ字状部の一辺ａ１から延びる延長辺ａ４ならびにコ字状部の一辺ａ１と他辺ａ３との先端に形成された突起ａ５，ａ５から構成される。上下一対の辺ａ１、ａ３は弾性に富んでいて、突起ａ５、ａ５を互いに近づける方向に附勢されているのが好ましい。
【００２０】
開口部ａ０には、窓木１ｂ、１ｃがその底部ａ２まで嵌め合わされ、一辺ａ１および他辺ａ３の先端に形成された突起ａ５，ａ５によって窓木１ｂ、１ｃに密着する。延長辺ａ４は、開閉窓１と窓枠Ｍとの隙間を封鎖し、延長辺ａ０上に流れた雨水がそのまま屋根面や妻面上に流れ、この雨水が隙間からハウス内に流入するのを防止する。併せて害虫や冷気がハウス内に入り込むのを防止する。
【００２１】
図３は、窓枠Ｍに取り付けられた開閉窓１が、換気のために若干開かれた状態で、開閉窓１の両側の窓木１ｂおよび下側の窓木１ｃに、防水用シール具Ａが取り付けられる状況を示している。そして、窓枠Ｍを伝って流れ落ちた結露水等はソケットＵに流入してホースＨから排水される。
【００２２】
図４は、防水用シール具Ａの他の実施形態を示し、開口部ａ０を形成するコ字状部の他辺ａ３を外側に湾曲させて、結合時の弾力性を増すようにしたものである。このようにすれば防水用シール具Ａが、一辺ａ１および他辺ａ３の先端に形成された突起ａ５，ａ５によって窓木１ｂ、１ｃにより強固に密着するようになる。
【００２３】
図５は、図１の下側の窓木１０ｃに取り付けられた、防水用シール具ＡのＡ―Ａ断面を示す他の実施形態を示している。即ち、下側の窓木１０ｃが蟻溝を有するフレームＦで構成され、そこに防水用シール具Ａを嵌め合わせるようにしたものである。そして、開閉窓１は矢印方向に開閉されて換気される。フレームＦには開閉窓１における中央のシートの端部が固定されている。
【００２４】
図６は、両側にスライドする二つの引き戸Ｄ１、Ｄ２が当接するシール部たる接合部の一方の引き戸Ｄ２に、本発明の防水用シール具Ａを嵌め合わせたものである。このようにすれば、両側にスライドする二つの引き戸Ｄ１、Ｄ２が、正確に当接していなくともその接合部から風、雨水、虫、外気が進入することがなくなる。
【００２５】
図７は、一方がスライドする引き戸Ｄ１であって、他方が固定部Ｄ０で構成されているとき、引き戸Ｄ１または固定部Ｄ０に本発明の防水用シール具Ａを嵌め合わせることによって、引き戸Ｄ１と固定部Ｄ０とが、正確に当接していなくともそのシール部たる当接部から風や雨水等が進入することを防止する。
【００２６】
図８は、両側の扉Ｋ１、Ｋ２がいわゆる観音開きとして両側に開くとき、両側の扉Ｋ１、Ｋ２が閉じられた場合に、正確に当接していなくとも一方に本発明の防水用シール具Ａを嵌め合わせることによって、そのシール部たる当接部から風や雨水が進入することを防止する。
【００２７】
図９は、温室や建築物の側壁Ｗに設けた窓に形成した、引き戸Ｑの敷居Ｌに本発明の防水用シール具Ａを嵌め合わせることによって、敷居Ｌの上面を流れる雨水を外側に流し、その敷居Ｌを伝って風や雨水が部屋内に進入することを防止する。即ち雨水が延長部ａ４を伝って遠くの地上に流れるようにしている。
【００２８】
なお、本発明は、上記実施形態に限定されるものではなく、本発明の技術的思想の範囲内で、適宜変更して実施することができるものである。
【図面の簡単な説明】
【００２９】
【図１】本発明の一実施の形態を示す説明図である。
【図２】本発明の一実施の形態を示す要部部品の説明図である。
【図３】本発明の一実施の形態を示す組み立て説明図である。
【図４】本発明の第二の実施形態を示す要部部品の説明図である。
【図５】本発明の第三の実施形態を示す要部部品の説明図である。
【図６】本発明の第四の実施形態を示す要部部品の説明図である。
【図７】本発明の第五の実施形態を示す要部部品の説明図である。
【図８】本発明の第六の実施形態を示す要部部品の説明図である。
【図９】本発明の第七の実施形態を示す要部部品の説明図である。
【符号の説明】
【００３０】
１  開閉窓
Ｔ  棟木
Ｐ  パイプ
Ｍ  窓枠
Ａ  防水用シール具
Ｕ  雨水受けソケット
Ｈ  ホース
Ｓ  シート
【図１】
2005061089.tif 000003
【図２】
2005061089.tif 000004
【図３】
2005061089.tif 000005
【図４】
2005061089.tif 000006
【図５】
2005061089.tif 000007
【図６】
2005061089.tif 000008
【図７】
2005061089.tif 000009
【図８】
2005061089.tif 000010
【図９】
2005061089.tif 000011